【手続補正書】
【提出日】平成16年10月26日(2004.10.26)
【手続補正１】
【補正対象書類名】明細書
【補正対象項目名】全文
【補正方法】変更
【補正の内容】
【書類名】            明細書
【発明の名称】        反射板、反射型偏光板及び反射型液晶表示装置
【特許請求の範囲】
【請求項１】
反射板表面部は、その断面は円弧が連なった形状であり、底辺と円弧の交点における円の接線と底辺のなす角（仰角）が２.５度〜２０度であることを特徴とする反射板。
【請求項２】
請求項１に記載の反射板を偏光板に積層してなる反射型偏光板。
【請求項３】
請求項１に記載の反射板を積層してなる反射型液晶表示装置。
【請求項４】
請求項２に記載の反射型偏光板を装着してなる反射型液晶表示装置。
【発明の詳細な説明】
【０００１】
【発明の属する技術分野】
本発明は反射板、反射型偏光板及び反射型液晶表示装置に関する。
【０００２】
【従来の技術】
近年、ノート型ワープロ、パソコンの他、電子手帳、携帯情報端末機、アミューズメント機器、文具器、携帯電話機等の多方面で液晶表示装置が利用されている。これらのうちでも携帯用の機器には、反射型の液晶表示装置が多く用いられている。かかる反射型液晶表示装置としては、例えば、液晶セルとしてＴＮ型（ツイステッドネマティック型）またはＳＴＮ型（スーパーツイステッドネマティック型）を用いた第１偏光板／液晶セル／第２偏光板／反射板の構成の液晶表示装置（反射型ＴＮ型液晶表示装置、反射型ＳＴＮ型液晶表示装置）や、液晶セルとしてＧＨ型液晶セル（ゲストホスト型セル）を用いた液晶セル／反射板の構成の液晶表示装置（反射型ＧＨ型液晶表示装置）などが知られている。さらに最近では、液晶セル内に反射板を設けた構成の反射型液晶表示装置も知られている。
【０００３】
しかしながら、いずれの表示装置も外光の写り込みを避けた角度からの視認性に劣る傾向にあるため、外光の写り込みを避けた角度から見た場合においても視認性がより良好な液晶表示装置が望まれていた。
【０００４】
【発明が解決しようとする課題】
そこで、本発明者らは、外光の写り込みを避けた角度から見た場合においても明るく良好な視認性の表示が得られる反射型液晶表示装置を与える反射板を開発すべく鋭意検討した結果、特定形状を有する反射板を用いることにより、かかる課題が解決できることを見い出し、本発明に到達した。
【０００５】
【課題を解決するための手段】
すなわち本発明は、反射板表面部は、その断面は円弧が連なった形状であり、底辺と円弧の交点における円の接線と底辺のなす角（仰角）が ２.５度〜２０度であることを特徴とする反射板、この反射板を積層してなる反射型偏光板、及びこの反射板を装着したことを特徴とする反射型液晶表示装置を提供するものである。本発明の反射板を用いることにより、外光の写り込みを避けたどの角度でも、明るく視認性の良好な反射型液晶表示装置を得ることができる。
【０００６】
【発明の実施の形態】
以下、本発明を詳細に説明する。
【０００７】
本発明の反射板は、反射板表面部の断面は円弧が連なった形状であり、底辺と円弧の交点における円の接線と底辺のなす角（仰角）が ２.５度〜２０度である。図１に本発明の反射板の一例を示す。かかる反射板において仰角は２.５度〜２０度、好ましくは、２.５度〜１５度、さらに好ましくは２.５度〜１０度である。
【０００８】
この断面における円弧のピッチ、即ち反射板面と平行な該円弧の底辺の長さは、特に限定されないが、規則的な形状を得る点及びスジがあまり目立たないという点からは、１０μm から５００μm が好ましい。１０μm 以下では規則的な形状が得られにくく、５００μm より大きいとスジが目立ち、好ましくない。
【０００９】
本発明の反射板を液晶表示装置に組み込んだ場合、液晶セルの画素ピッチとこの反射板のピッチが干渉してモアレ縞が発生する場合がある。このモアレ縞の発生を防ぐため、
(1) 液晶セルの画素ピッチと該反射板のピッチを一致させる、
(2) 隣接する断面円弧形状の底辺の長さを違える、または
(3) 断面円弧形状のピッチを１００μm 以下にする
ことが実用上好ましい。
【００１０】
本発明の反射板の基材としては、例えば、ポリエチレンテレフタレートフィルム、ポリエステルフィルム、ポリカーボネートフィルム、ポリアクリルフィルム、ポリオレフィンフィルム等のプラスチックフィルム、アルミニウム板や銅板等の金属板、ガラス板などが挙げられる。かかる基材の厚みは特に制限されないが、例えば、１０μm 〜５mm程度であって、板状であってもよく、シート状やフィルム状であってもよい。
【００１１】
反射板の基材表面部を上記の形状にするには、例えば
(1) ロールに目的とする形状のネガ型を形成しておき、ロール転写法にて形状を付与する方法、
(2) ロールに目的とする形状のネガ型を形成しておき、紫外線または電子線硬化樹脂を塗布して凹部に充填後、樹脂液を介してロール凹版上に透明基材フィルムを被覆したまま紫外線または電子線を照射し、硬化させた樹脂が接着した基材フィルムをロールから剥離する方法（特開平３−２２３８８３号公報、特開平６−３２４２０５号公報）、
(3) 目的とする形状のネガ型を流延ベルトに形成しておき、キャスティング時に目的とする形状を付与する溶剤キャスト法により製造する方法、または
(4) 反射板基材に切削工具で直接、目的とする形状を付与する方法
などが挙げられる。
【００１２】
反射板基材表面の反射面がプラスチックなど反射率の低い基材からなる場合は、その表面に例えば、アルミニウム、銀等の高反射率の金属が蒸着される。高反射率の金属を蒸着する方法及び蒸着の厚さには何ら制約がなく、例えば、真空蒸着法、スパッタリング法、イオンプレーティング法等の、金属薄膜を形成するために通常使用されている方法を基材の種類に応じて適宜選択して用いればよい。蒸着の厚みは、例えば、５０nm〜１００nm程度である。
【００１３】
高反射率特性を有する金属として銀を用いて蒸着を行った場合は、蒸着層の劣化を防止するため、銀蒸着層の表裏面に保護膜を設けることが好ましい。保護膜として特に限定はないが、例えば、アクリル樹脂、エポキシ樹脂、ポリエステル樹脂、ウレタン樹脂、アルキド樹脂の塗工膜が挙げられ、例えば、ロールコーティング、グラビアコーティング、スプレーコーティング等の通常の方法で塗工することができる。また、ＳｉＯ2 などの無機物の薄膜を用いることもでき、この場合は蒸着法でもよい。保護膜の厚さは特に制限されないが、例えば、５nm〜２０μm の範囲である。
【００１４】
基材としてアルミニウム板等の金属板を用いた場合は、高反射率の金属を蒸着することなくそのまま反射板の光反射層として用いることもできる。
【００１５】
高反射率の光反射層からの反射光を適度に散乱させることが必要な場合が多く、その場合には、例えば表面を粗面化してもよいし、表面上部に光拡散層を設けてもよい。表面を粗面化する場合、表面の粗さは中心線平均粗さ（例えば Dektac 社製の３ＳＴで測定）で２００nm〜１５００nmの範囲が好ましい。中心線平均粗さが２００nm未満では十分な乱反射特性が得られず、また１５００nmより大きいと最大反射率が低下し、好ましくない。表面をこのような中心線平均粗さにする方法として、具体的には、例えば
(1) ネガ型の版の表面を予め粗しておく方法、
(2) 有機／無機微粒子を混合させた樹脂をネガ型の版に押しあてる方法、
(3) 目的とする形状を付与した後、表面をサンドブラスト処理する方法、または
(4) 目的とする形状を付与した後、無機／有機微粒子含有塗工液を表面にコートする方法
などが挙げられる。
【００１６】
また、反射面の上部に光拡散層を設ける場合、光拡散層を設ける方法としては、例えば
(1) 微粒子を、樹脂バインダーを用いて反射面にコーティングする方法、
(2) 光拡散特性を有するフィルムを積層する方法
などが挙げられる。
【００１７】
微粒子を、樹脂バインダーを用いて反射面にコーティングする場合、用いられる微粒子としては、シリカ、炭酸カルシウムなどや、二酸化チタンを被覆した合成または天然雲母等のパール顔料、板状魚鱗箔、六角板状塩基性炭酸鉛のような真珠光沢を有する微粒子などの無機微粒子や、ポリメチルメタクリレートビーズ、ポリカーボネートビーズ、ポリスチレンビーズ、シリコンビーズ等の有機微粒子などが例示される。かかる微粒子は単独または２種類以上を組み合わせて用いられる。樹脂バインダーも特に限定されないが、例えば、アクリル系樹脂、ウレタン系樹脂、エポキシ系樹脂、ポリエステル系樹脂、アルキド樹脂などが挙げられる。これらの樹脂バインダーは粘着特性を有していてもよい。光拡散層を形成するには、例えば、微粒子と樹脂を混合した後、ロールコーティング、グラビアコーティング、スプレーコーティング等、通常の方法で塗工すればよい。塗工厚みは５〜５０μm 程度である。
【００１８】
光拡散特性を有するフィルムを積層する場合、かかるフィルムとしては、上記したと同様の有機及び／又は無機微粒子を混合させた樹脂がコーティングされたフィルム、有機及び／又は無機微粒子を混合させた樹脂をキャスティングして得られるフィルム、または、フィルムの表面をエンボス処理したフィルムなどが挙げられるが、拡散特性を有するフィルムなら特に限定はない。このフィルムの積層方法は、公知のアクリル系粘着剤を用いるなど通常の方法でよく、特に限定はない。
【００１９】
本発明の反射板は、例えばアクリル系接着剤で偏光板に積層されて、反射型液晶表示装置に適した反射型偏光板とすることができる。そして、このような反射板または反射型偏光板を液晶表示装置に装着することにより、視認性に優れた反射型液晶表示装置が得られる。反射型液晶表示装置の構成例としては、例えば、
（偏光板／ＴＮ型液晶セル／偏光板／反射板）なる構成の反射型液晶表示装置、
（偏光板／位相差板／ＳＴＮ型液晶セル／偏光板／反射板）なる構成の反射型液晶表示装置、
（ＧＨセル／反射板）なる構成の反射型液晶表示装置
などが挙げられるが、これらに限定されるものではない。また、これらの構成で液晶セルの上面及び／または下面に位相差板を１枚或いは２枚以上配置してもよい。
【００２０】
【発明の効果】
本発明の反射板を用いた反射型液晶表示装置は、従来の反射型液晶表示装置に比べ、外光の写り込みを避けた角度から見た場合、表示画面が明るく、視認性に優れている。
【００２１】
【実施例】
以下、実施例により本発明をさらに詳細に説明するが、本発明は実施例に限定されるものではない。
【００２２】
実施例１
断面は円弧が連なった形状であり、底辺と円弧の交点における円の接線と底辺のなす角（仰角）が１０度で、その繰り返しピッチが１００μm である反射基材〔プラスチックシート〕にアルミニウム蒸着を施して反射板を得る。この反射板を、アクリル系粘着剤を介して偏光板（住友化学工業株式会社製のＳＪグレード）と貼り合わせて反射型偏光板（偏光板／反射板）を得る。この反射型偏光板をＳＴＮ液晶セルに装着し、その反対側に位相差板（例えば住友化学工業株式会社製のＳＥＦ）及び偏光板（例えば住友化学工業株式会社製のＳＪ）を装着すると、反射型ＳＴＮ液晶表示装置（偏光板／位相差板／ＳＴＮ液晶セル／偏光板／反射板）が得られる。この反射型液晶表示装置は、液晶表示装置最表面の外光の写り込みを避けた角度から見た場合、明るく、視認性がよい。
【００２３】
実施例２
実施例１における反射板の中心線平均粗さが５００μm 程度である場合にも、この反射板を、アクリル系粘着剤を介して偏光板（住友化学工業株式会社製のＳＪグレード）と貼り合わせて反射型偏光板（偏光板／反射板）を得る。また、この反射型偏光板をＳＴＮ液晶セルに装着し、その反対側に位相差板（例えば住友化学工業株式会社製のＳＥＦ）及び偏光板（例えば住友化学工業株式会社製のＳＪ）を装着すると、反射型ＳＴＮ液晶表示装置（偏光板／位相差板／ＳＴＮ液晶セル／偏光板／反射板）が得られる。この反射型液晶表示装置は、液晶表示装置最表面の外光の写り込みを避けた角度から見た場合、明るく、視認性がよい。
【００２４】
実施例３
実施例１における反射板の反射面の上に光拡散層を設け、さらに偏光板（例えば住友化学工業株式会社製のＳＪグレード）を貼り合わせると、反射型偏光板（偏光板／反射板）が得られる。この反射板を、アクリル系粘着剤を介して偏光板（住友化学工業株式会社製のＳＪグレード）と貼り合わせて反射型偏光板（偏光板／反射板）を得る。この反射型偏光板をＳＴＮ液晶セルに装着し、その反対側に位相差板（例えば住友化学工業株式会社製のＳＥＦ）及び偏光板（例えば住友化学工業株式会社の製ＳＪ）を装着すると、反射型ＳＴＮ液晶表示装置（偏光板／位相差板／ＳＴＮ液晶セル／偏光板／反射板）が得られる。この反射型液晶表示装置は、液晶表示装置最表面の外光の写り込みを避けた角度から見た場合、明るく、視認性がよい。
【００２５】
実施例４
断面は円弧が連なった形状であり、底辺と円弧の交点における円の接線と底辺のなす角（仰角）が６度で、その繰り返しピッチが１００μm である反射基材〔プラスチックシート〕にアルミニウム蒸着を施して反射板を得る。この反射板を、アクリル系粘着剤を介して偏光板（例えば住友化学工業株式会社製のＳＪグレード）と貼り合わせて反射型偏光板（偏光板／反射板）を得る。この反射型偏光板をＳＴＮ液晶セルに装着し、その反対側に位相差板（例えば住友化学工業株式会社製のＳＥＦ）及び偏光板（例えば住友化学工業株式会社製のＳＪ）を装着すると、反射型ＳＴＮ液晶表示装置（偏光板／位相差板／ＳＴＮ液晶セル／偏光板／反射板）が得られる。この反射型液晶表示装置は、液晶表示装置最表面の外光の写り込みを避けた角度から見た場合、明るく、視認性がよい。
【００２６】
実施例５
実施例４で得られる反射板に光拡散層を設け、偏光板（例えば住友化学工業株式会社製のＳＪグレード）と貼り合わせると、反射型偏光板（偏光板／反射板）となる。この反射型偏光板をＳＴＮ液晶セルに装着し、その反対側に位相差板（例えば住友化学工業株式会社製のＳＥＦ）及び偏光板（例えば住友化学工業株式会社製のＳＪ）を装着すると、反射型ＳＴＮ液晶表示装置（偏光板／位相差板／ＳＴＮ液晶セル／偏光板／反射板）が得られる。この反射型液晶表示装置は、液晶表示装置最表面の外光の写り込みを避けた角度から見た場合、明るく、視認性がよい。
【図面の簡単な説明】
【図１】
本発明の反射板の一例を示す断面図である。